(57)【要約】【課題】浴槽またぎ高さを低く抑えつつ、異なる排水管の配設方向に適合できる排水トラップ構造を提供する。【解決手段】洗い場の防水床部に設けられ、上部に開口部が設けられた排水トラップ本体と、浴槽内の浴槽水を前記排水トラップ本体に導く浴槽排水管路と、を備え、前記浴槽排水管路は、前記浴槽から排出された前記浴槽水を一時的に貯留可能な浴槽排水貯留部と、前記浴槽排水貯留部と連通し、前記浴槽排水貯留部の底面よりも上方に配置され、前記浴槽排水貯留部から前記浴槽水を導入する浴槽排水導入部と、前記浴槽排水導入部と連通し、前記浴槽排水導入部から流出される前記浴槽水を前記排水トラップ本体の前記開口部から前記排水トラップ本体の内部に導出する浴槽排水導出部と、を有することを特徴とする排水トラップ構造が提供される。【選択図】図１
2010007297.tif 000002
【特許請求の範囲】
【請求項１】
洗い場の防水床部に設けられ、上部に開口部が設けられた排水トラップ本体と、
浴槽内の浴槽水を前記排水トラップ本体に導く浴槽排水管路と、
を備え、
前記浴槽排水管路は、
前記浴槽から排出された前記浴槽水を一時的に貯留可能な浴槽排水貯留部と、
前記浴槽排水貯留部と連通し、前記浴槽排水貯留部の底面よりも上方に配置され、前記浴槽排水貯留部から前記浴槽水を導入する浴槽排水導入部と、
前記浴槽排水導入部と連通し、前記浴槽排水導入部から流出される前記浴槽水を前記排水トラップ本体の前記開口部から前記排水トラップ本体の内部に導出する浴槽排水導出部と、
を有することを特徴とする排水トラップ構造。
【請求項２】
前記浴槽排水導入部の底面は、前記浴槽の内側底面よりも下方に配置されてなることを特徴とする請求項１記載の排水トラップ構造。
【請求項３】
前記浴槽排水導入部は、前記浴槽側に設けられた第１の部分と、前記洗い場側に設けられた第２の部分と、に分割可能とされていることを特徴とする請求項１または２に記載の排水トラップ構造。
【請求項４】
前記第１の部分と前記第２の部分との間には、前記第１の部分に対して前記第２の部分を着脱可能に接続する着脱部が設けられ、
前記着脱部は、前記洗い場と前記浴槽との境界部に配置されたことを特徴とする請求項３記載の排水トラップ構造。
【請求項５】
前記第２の部分を前記着脱部において取り外したときに露出する前記第１の部分の開口は、水平方向に長い横長形状を有することを特徴とする請求項３または４に記載の排水トラップ構造。
【請求項６】
前記第２の部分を前記着脱部において前記第１の部分から取り外すときのストロークは、前記第２の部分を前記第１の部分に取り付けた状態における前記浴槽排水導出部と前記排水トラップ本体の内壁との間の隙間よりも小さいことを特徴とする請求項３〜５のいずれか１つに記載の排水トラップ構造。
【発明の詳細な説明】
【技術分野】
【０００１】
本発明の態様は、一般的に、排水トラップ構造に関する。
【背景技術】
【０００２】
例えば、浴室ユニットにおいて、浴槽からの排水及び洗い場床からの排水は排水トラップに一度集められ、排水トラップの排水口に接続された排水管を通って、例えば下水管に排出される。排水トラップの本体に対しての排水管の配設方向は、例えばユニットバスが設けられる家屋などの現場の構造によって異なる。
【０００３】
例えば、特許文献１（特開２０００−１７９０２１号公報）や特許文献２（２００１−９８６０４号公報）には、排水トラップ本体の側面の一方に浴槽排水管を接続し、側面の別の一方に排水口を設けた構造が開示されている。この場合、浴槽からの排水は、浴槽排水管を通って、排水トラップ本体の側面から本体内に流入し、本体内の封水部から溢れた排水が排水口に接続された排水管を介して下水に排出される。この構造において、排水管の配設方向が異なることに対応するために、浴槽排水管と排水口の設置角度を変えた種々の排水トラップを生産すると、排水トラップの品番が増加しコスト高となる。また例えば、設置角度を変えた複数の排水口を設けた場合には強度などが劣化する。一方、浴槽排水管と排水口の設置角度を１つの種類にすると、排水口に接続される排水管を、現場の構造に合わせて大きく屈曲させなければならない状況が発生し、排水性が悪化し、また施工性が悪化する。
【０００４】
一方、特許文献３（特開平８−１５１６６９号公報）には、排水トラップ本体の上部の開口に浴槽排水管の端部を挿入する構造が開示されている。この場合は、浴槽からの排水は、浴槽排水管を通って、排水トラップ本体の上部の開口から本体内に流入し、本体内の封水部から溢れた排水が排水口に接続された排水管を介して下水に排出される。この構造の場合は、浴槽排水管が排水トラップの本体の上部で任意の角度で挿入されるので、排水管の配設方向が異なることに対応できる。しかしながら、排水トラップ本体の上部の開口に浴槽排水管の端部を挿入する構造であるため、浴槽のまたぎ高さが高くなるという問題がある。
【０００５】
このように、浴槽からの排水が流れ込む排水トラップに対して、浴槽またぎ高さを一定以下に低く抑えつつ、現場によって異なる排水管の配設方向に対して、影響を受けない、すなわち、品番や排水口の個数を増やすことなく、かつ、排水性と施工性が良好な、排水トラップ構造が求められている。
【特許文献１】特開２０００−１７９０２１号公報
【特許文献２】特開２００１−９８６０４号公報
【特許文献３】特開平８−１５１６６９号公報
【発明の開示】
【発明が解決しようとする課題】
【０００６】
本発明の態様は、浴槽またぎ高さを低く抑えつつ、異なる排水管の配設方向に適合できる排水トラップ構造を提供する。
【課題を解決するための手段】
【０００７】
本発明の一態様によれば、洗い場の防水床部に設けられ、上部に開口部が設けられた排水トラップ本体と、浴槽内の浴槽水を前記排水トラップ本体に導く浴槽排水管路と、を備え、前記浴槽排水管路は、前記浴槽から排出された前記浴槽水を一時的に貯留可能な浴槽排水貯留部と、前記浴槽排水貯留部と連通し、前記浴槽排水貯留部の底面よりも上方に配置され、前記浴槽排水貯留部から前記浴槽水を導入する浴槽排水導入部と、前記浴槽排水導入部と連通し、前記浴槽排水導入部から流出される前記浴槽水を前記排水トラップ本体の前記開口部から前記排水トラップ本体の内部に導出する浴槽排水導出部と、を有することを特徴とする排水トラップ構造が提供される。
【発明の効果】
【０００８】
本発明の態様によれば、浴槽またぎ高さを低く抑えつつ、異なる排水管の配設方向に適合できる排水トラップ構造が提供される。
【発明を実施するための最良の形態】
【０００９】
第１の発明は、洗い場の防水床部に設けられ、上部に開口部が設けられた排水トラップ本体と、浴槽内の浴槽水を前記排水トラップ本体に導く浴槽排水管路と、を備え、前記浴槽排水管路は、前記浴槽から排出された前記浴槽水を一時的に貯留可能な浴槽排水貯留部と、前記浴槽排水貯留部と連通し、前記浴槽排水貯留部の底面よりも上方に配置され、前記浴槽排水貯留部から前記浴槽水を導入する浴槽排水導入部と、前記浴槽排水導入部と連通し、前記浴槽排水導入部から流出される前記浴槽水を前記排水トラップ本体の前記開口部から前記排水トラップ本体の内部に導出する浴槽排水導出部と、を有することを特徴とする排水トラップ構造である。  
この排水トラップ構造によれば、浴槽またぎ高さを低く抑えつつ、異なる排水管の配設方向に適合できる排水トラップ構造を提供することができる。
【００１０】
また、第２の発明は、第１の発明の実施形態において、前記浴槽排水導入部の底面は、前記浴槽の内側底面よりも下方に配置されてなることを特徴とする排水トラップ構造である。  
この排水トラップ構造によれば、浴槽排水管路内の水が浴槽内に逆流することを防止できる。
【００１１】
また、第３の発明は、第１の発明の実施形態または第２の発明の実施形態において、前記浴槽排水導入部は、前記浴槽側に設けられた第１の部分と、前記洗い場側に設けられた第２の部分と、に分割可能とされていることを特徴とする排水トラップ構造である。  
この排水トラップ構造によれば、浴槽排水貯留部内を洗い場側から容易に掃除できる。また、万が一、浴槽排水口から小物を落としてしまった場合でも、着脱口から手を入れて取り出すことができる。さらに、ワンプッシュ排水栓の施工や保守管理時の作業口、点検口としての役割を果たすことができるため施工性、保守管理性も向上する。
【００１２】
また、第４の発明は、第３の発明の実施形態において、前記第１の部分と前記第２の部分との間には、前記第１の部分に対して前記第２の部分を着脱可能に接続する着脱部が設けられ、前記着脱部は、前記洗い場と前記浴槽との境界部に配置されたことを特徴とする排水トラップ構造である。  
この排水トラップ構造によれば、浴槽排水貯留部内に手を入れる際に、最も入れ易い場所であるため、作業性が向上する。
【００１３】
また、第５の発明は、第３の発明の実施形態または第４の発明の実施形態において、前記第２の部分を前記着脱部において取り外したときに露出する前記第１の部分の開口は、水平方向に長い横長形状を有することを特徴とする排水トラップ構造である。  
この排水トラップ構造によれば、流路断面積を稼げるため排水性を確保できるとともに、着脱口から浴槽排水貯留部底面までの高さを低く抑えることができるため作業性も向上する。
【００１４】
また、第６の発明は、第３〜第５のいずれか１つの発明の実施形態において、前記第２の部分を前記着脱部において前記第１の部分から取り外すときのストロークは、前記第２の部分を前記第１の部分に取り付けた状態における前記浴槽排水導出部と前記排水トラップ本体の内壁との間の隙間よりも小さいことを特徴とする排水トラップ構造である。  
この排水トラップ構造によれば、浴槽排水貯留部内を洗い場側から容易に掃除できる。また、万が一、浴槽排水口から小物を落としてしまった場合でも、着脱口から手を入れて取り出すことができる。さらに、ワンプッシュ排水栓の施工や保守管理時の作業口、点検口としての役割を果たすことができるため施工性、保守管理性も向上する。
【００１５】
以下、本発明の実施の形態について図面を参照しつつ説明する。なお、各図面中、同様の構成要素には同一の符号を付して詳細な説明は適宜省略する。  
図１〜図８は、本発明の実施形態に係る排水トラップ構造を例示する模式図である。  
すなわち、図１〜図３は、第１の実施形態に係り、図１は、排水トラップ構造を例示する模式的断面図であり、図２は模式的斜視図である。図３は、模式的平面図であり、同図（ａ）〜（ｂ）は、排水トラップの異なる設置状態を例示している。なお、図１は、図３（ａ）のＡ−Ａ’線断面図である。図４〜図８は、第２の実施形態に係り、図４及び図５は、排水トラップ構造を例示する模式的断面図であり、図６は模式的斜視図であり、図７（ａ）、（ｂ）は、要部の２つの例を示す模式的斜視図であり、図８（ａ）、（ｂ）は、別の例を示す模式的斜視図である。
【００１６】
（第１の実施の形態）
図１に表したように、本発明の第１の実施形態に係る排水トラップ構造１０１は、洗い場１０の防水床部１１に設けられ、上部に開口部２１が設けられた排水トラップ本体２０と、浴槽６０内の浴槽水６１を排水トラップ本体２０に導く浴槽排水管路３０と、を備え、浴槽排水管路３０は、浴槽６０から排出された浴槽水６１を一時的に貯留可能な浴槽排水貯留部３１と、浴槽排水貯留部３１と連通し、前記浴槽排水貯留部３１の底面３１ａよりも上方に配置され、浴槽排水貯留部３１から浴槽水６１を導入する浴槽排水導入部３２と、浴槽排水導入部３２と連通し、浴槽排水導入部３２から流出される浴槽水６１を排水トラップ本体２０の開口部２１から排水トラップ本体２０の内部に導出する浴槽排水導出部３３と、を有する。
【００１７】
浴槽排水導出部３３は、排水トラップ本体２０の内側に設けられた封水部２２の内側に、封水部２２の上方向から、挿入される。  
そして、排水トラップ本体２０の側面には、排水口４０が設けられ、排水口４０は排水管５０に連通される。
【００１８】
この構造により、浴槽６０内の浴槽水６１は、浴槽排水口６２から浴槽排水貯留部３１に排出され、さらに、浴槽排水導入部３２を通り、浴槽排水導出部３３を経て、封水部２２に導入され、封水部２２から溢れた排水が、排水口４０に接続された排水管５０を介して、例えば下水管に排出される。
【００１９】
そして、浴槽排水導出部３３は、封水部２２の上方向から、封水部２２の内側に挿入されるので、浴槽排水管路３０と排水トラップ本体２０との角度は任意に設定できる。
【００２０】
すなわち、本実施形態に係る排水トラップ構造１０１においては、浴槽排水管路３０と排水トラップ本体２０とは、互いに強固に結合されているのではなく、浴槽排水管路３０の一端である浴槽排水導出部３３が、排水トラップ本体２０の封水部２２に挿入され、浴槽排水導出部３３の外面と封水部２２の内面とは、離間している。これにより、浴槽排水管路３０と排水トラップ本体２０との角度が任意に設定できる。その結果、排水トラップ本体２０の側面に設けられた排水口４０の開口軸と、浴槽排水管路３０の延在方向軸と、の角度を任意に設定できる。
【００２１】
すなわち、図３（ａ）に表したように、浴槽排水管路３０の延在方向軸３０ｘと、排水口４０の開口軸４０ｘと、は平行に設定することができる。  
また、図３（ｂ）、（ｃ）に表したように、浴槽排水管路３０の延在方向軸３０ｘと、排水口４０の開口軸４０ｘと、は任意の角度に設定することができる。
【００２２】
さらに、図１に表したように、本実施形態に係る排水トラップ構造１０１においては、浴槽排水管路３０の浴槽排水貯留部３１の底面３１ａが、浴槽排水導入部３２の底面３２ａよりも下方に配置されている。これにより、浴槽６０から排水された浴槽排水６１ｄは、浴槽排水貯留部３１の内部を経て、浴槽排水貯留部３１において浴槽排水導入部３２の底面３２ａよりも水面が上昇した部分の浴槽排水６１ｄが、浴槽排水導入部３２を通って排水トラップ本体２０に流れ出す。これにより、浴槽６０の内側底面６０ａと、排水トラップ構造１０１との垂直方向の距離、すなわち、浴槽６０の内側底面６０ａの排水トラップ構造１０１からの高さを低くすることができる。
【００２３】
例えば、浴槽排水管路３０に浴槽排水貯留部３１を設けない場合は、浴槽６０内の浴槽水６１が、排水トラップ構造に流れ出させるためには、排水トラップ構造よりも浴槽６０の内側底面６０ａを一定以上高い位置に設定する必要がある。例えば、排水トラップ本体２０の封水部２２の上面に浴槽排水６１ｄを導く配管の上面よりも、浴槽６０の内側底面６０ａを上方に設置する必要がある。このため、このような構造の場合には、浴槽６０の設置位置が高くなり、結果として、浴槽またぎ高さが、望ましい高さよりも高くなる。
【００２４】
これに対し、既に説明したように、本実施形態に係る排水トラップ構造１０１においては、浴槽排水管路３０に浴槽排水貯留部３１を設けているので、浴槽６０の内側底面６０ａの高さを、排水トラップ構造１０１に近づけることができる。このため、浴槽またぎ高さへの悪影響が実質的に解消できる。
【００２５】
このように、本実施形態に係る排水トラップ構造１０１によれば、浴槽またぎ高さを低く抑えつつ、異なる排水管の配設方向に適合できる排水トラップ構造が提供できる。
【００２６】
さらに、図１に表したように、上記の排水トラップ構造１０１において、浴槽排水導入部３２の底面３２ａは、浴槽６０の内側底面６０ａよりも下方に配置されている。これにより、浴槽排水管路３０内の水が浴槽６０内に逆流することを防止できる。
【００２７】
なお、図１に表したように、浴槽排水導出部３３の下面は、排水トラップ本体２０の例えば封水部２２の上面よりも下方に配置され、これにより、浴槽排水６１ｄは、効率的に封水部２２の中に排出される。このように、浴槽排水導出部３３の下面は、排水トラップ本体２０の封水部２２の上面よりも下方に配置されることが望ましい。
【００２８】
（第２の実施の形態）
図４、図６、図７（ａ）に表したように、本発明の第２の実施形態に係る排水トラップ構造１０２は、洗い場１０の防水床部１１に設けられ、上部に開口部２１が設けられた排水トラップ本体２０と、浴槽６０内の浴槽水６１を排水トラップ本体２０に導く浴槽排水管路３０と、を備え、浴槽排水管路３０は、浴槽６０から排出された浴槽水６１を一時的に貯留可能な浴槽排水貯留部３１と、浴槽排水貯留部３１と連通し、前記浴槽排水貯留部３１の底面３１ａよりも上方に配置され、浴槽排水貯留部３１から浴槽水６１を導入する浴槽排水導入部３２と、浴槽排水導入部３２と連通し、浴槽排水導入部３２から流出される浴槽水６１を排水トラップ本体２０の開口部２１から排水トラップ本体２０の内部に導出する浴槽排水導出部３３と、を有し、浴槽排水導入部３２は、浴槽排水導入部３２を第１の部分と第２の部分とに分割可能とする着脱部３２ｒを有する。
【００２９】
すなわち、本実施形態に係る排水トラップ構造１０２は、第１の実施形態に係る排水トラップ構造１０１において、浴槽排水導入部３２に、着脱可能な着脱部３２ｒを設けたものである。
【００３０】
すなわち、浴槽排水導入部３２は、浴槽６０側の第１の部分３２ｐと、洗い場１０側の第２の部分３２ｑと、を有する。そして、これらの間には、第２の部分３２ｑを、第１の部分３２ｐに対して、着脱可能に接続する着脱部３２ｒが設けられている。第２の部分３２ｑを着脱部３２ｒにおいて取り外すことにより、浴槽排水導入部３２は、第１の部分３２ｐと第２の部分３２ｑとに分割して、分離することができる。
【００３１】
なお、図４、図６、図７（ａ）では、第２の部分３２ｑを、第１の部分３２ｐから取り外し、紙面右上方向に移動させた時の状態を例示している。そして、図５は、第２の部分３２ｑと、第１の部分３２ｐとが、着脱部３２ｒで結合され、浴槽排水管路３０が排水トラップ本体２０の上部に取り付けられた状態を例示している。
【００３２】
このように、本実施形態に係る排水トラップ構造１０２の浴槽排水導入部３２においては、第１の部分３２ｐから、第２の部分３２ｑが分離できるので、浴槽排水貯留部３１の内部を、洗い場１０側から容易に掃除できる。また、例えば、浴槽排水口６２から小物を落としてしまった場合でも、着脱部３２ｒで分離された第１の部分３２ｐの開口部３２ｓから浴槽排水貯留部３１の中に手を入れて、その小物を取り出すことができる。
【００３３】
さらに、着脱部３２ｒで分離された第１の部分３２ｐの開口部３２ｓは、ワンプッシュ排水栓の施工や保守管理時の作業口や点検口としての役割を果たすことができるため、施工性、保守管理性も向上する。
【００３４】
このように、本実施形態に係る排水トラップ構造１０２によれば、浴槽またぎ高さを低く抑えつつ、異なる排水管の配設方向に適合でき、掃除が容易で、施工性や保守管理性の高い排水トラップ構造が提供できる。
【００３５】
すなわち、本実施形態に係る排水トラップ構造１０２における浴槽排水管路３０には、浴槽排水貯留部３１が設けられるため、浴槽排水貯留部３１において、浴槽排水６１ｄが死水となって留まり、浴槽排水貯留部３１の内側が汚れ、浴槽排水貯留部３１の内側の掃除の頻度が高まると考えられる。この時、上記のように、浴槽排水導入部３２に着脱部３２ｒを設けることで、浴槽排水貯留部３１の内部を掃除し易くなり、より便利な排水トラップ構造が提供できる。
【００３６】
図４〜図６に表したように、着脱部３２ｒは、洗い場１０と浴槽６０の境界部に配置することができる。これの構造によれば、浴槽排水貯留部３１の内側に手を入れる際に、最も入れ易く、掃除等などの作業性が向上し、より便利な排水トラップ構造が提供できる。
【００３７】
また、図６及び図７（ａ）に表したように、着脱部３２ｒにおける第１の部分３２ｐの断面は、水平方向に長い横長形状を有するものとすることができる。すなわち、第２の部分３２ｑを着脱部３２ｒにおいて取り外したときに露出する第１の部分３２ｐの開口は、水平方向に長い横長形状を有することができる。
【００３８】
これにより、浴槽排水導入部３２の第２の部分３２ｑを、着脱部３２ｒで取り外した場合、第１の部分３２ｐの開口部３２ｓの形状が水平方向に長い横長形状となる。これにより、この開口部３２ｓに手を入れ易く、掃除等の作業性がさらに向上する。
【００３９】
なお、浴槽排水導入部３２は、浴槽排水貯留部３１から排水トラップ本体２０の方向に浴槽排水６１ｄを導入する機能を有するので、効率的に排水を行うために、開口部３２ｓの断面積は、一定以上広いことが要求される。このとき、浴槽排水導入部３２の底面３２ａの排水の流れ方向に対する垂直方向の長さをなるべく広く取ると効率が高まる。この観点でも、浴槽排水導入部３２は水平方向に長い横長形状とすることがより望ましい。この場合も、着脱部３２ｒの浴槽排水導入部３２の延在方向に対して垂直な平面で切断した時の断面形状は、水平方向に長い横長形状となる。
【００４０】
また、図５に表したように、着脱部３２ｒの重なり代３２ｔは、浴槽排水管路３０が排水トラップ本体２０に取り付けられた状態における、浴槽排水導出部３３と、排水トラップ本体２０の内壁２０ａと、の間の隙間２０ｔよりも小さくすることができる。
【００４１】
上記において、着脱部３２ｒの重なり代３２ｔは、着脱部３２ｒにおいて分割される複数の部分の重なりの長さである。すなわち、浴槽排水導入部３２における第１の部分３２ｐと第２の部分３２ｑとが重なる部分の、浴槽排水導入部３２の延在方向に平行な方向における長さである。この重なり代３２ｔは、第２の部分３２ｑを着脱部３２ｒにおいて第１の部分３２ｐから取り外すときのストロークである。  
そして、排水トラップ本体２０の内壁２０ａは、例えば封水部２２の内壁とすることができる。
【００４２】
浴槽排水導出部３３と、排水トラップ本体２０の内壁２０ａと、の間の隙間２０ｔは、浴槽排水導出部３３と、排水トラップ本体２０の内壁２０ａと、の間の距離の内、浴槽排水導出部３３を基準として、着脱部３２ｒの断面に対して垂直で、第１の部分３２ｐから第２の部分３２ｑへ延在する方向の距離とすることができる。すなわち、第２の部分３２ｑを第１の部分３２ｐから取り外す方向における、浴槽排水導出部３３と、排水トラップ本体２０の内壁２０ａと、の間の隙間である。
【００４３】
例えば、着脱部３２ｒの重なり代３２ｔは、封水部２２の内径２２ｄと浴槽排水導出部３３の外径３３ｄの差よりも小さく設定できる。
【００４４】
第２の部分３２ｑを第１の部分３２ｐから取り外す時、着脱部３２ｒの重なり代３２ｔの長さよりも長い距離だけ、第２の部分３２ｑを移動させる必要がある。この時、上記のように、浴槽排水導出部３３と、排水トラップ本体２０の内壁２０ａと、の間の隙間２０ｔよりも、着脱部３２ｒの重なり代３２ｔが小さいので、隙間２０ｔの間で、第２の部分３２ｑを移動させ、第１の部分３２ｐと第２の部分３２ｑとを分離することができる。つまり、第２の部分３２ｑを第１の部分３２ｐから取り外すときのストロークを、隙間２０ｔよりも小さくできる。このように、第２の部分３２ｑを第１の部分３２ｐから取り外す時のクリアランスを確保でき、着脱部３２ｒでの分離を容易に実行できる。
【００４５】
これにより、浴槽排水貯留部３１内を洗い場側から容易に掃除でき、また、浴槽排水口６２から小物を落としてしまった場合でも、着脱口から手を入れて取り出すことができ、さらに、ワンプッシュ排水栓の施工や保守管理時の作業口、点検口としての役割を果たすことができるため施工性、保守管理性も向上する。
【００４６】
なお、図７（ｂ）に表したように、本実施形態に係る別の排水トラップ構造１０３では、浴槽排水導出部３３が、浴槽排水導入部３２から分離されるように構成されている。このように、浴槽排水導出部３３を、浴槽排水導入部３２から分離されるように構成した場合、横長形状の断面形状を有する浴槽排水導入部３２と、例えば、円形の断面形状を有する浴槽排水導出部３３と、を別に作製した後に、それらを組み合わせるという方法で浴槽排水管路３０を形成することができ、作り易い構造となる。
【００４７】
なお、この場合、浴槽排水導入部３２と浴槽排水導出部３３とを着脱可能なように、例えばネジなどを利用して組み合わせた場合には、例えば、浴槽排水導入部３２の内部や浴槽排水導出部３３の内部の掃除がし易くなり、さらに便利である。
【００４８】
また、図８に表したように、本実施形態に係る別の排水トラップ構造１０４においては、浴槽排水貯留部３１が上部３１ｃと下部３１ｄに分離可能となっている。このような構成にすることで、複雑な構造を有する浴槽排水貯留部３１の製造が容易となり、また、浴槽排水貯留部３１の排水導入口３１ｂと浴槽６０の浴槽排水口６２との結合作業がやり易くなり、より便利な排水トラップ構造が提供できる。
【００４９】
以上、具体例を参照しつつ、本発明の実施の形態について説明した。しかし、本発明は、これらの具体例に限定されるものではない。例えば、排水トラップ構造を構成する各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【００５０】
その他、本発明の実施の形態として上述した排水トラップ構造を基にして、当業者が適宜設計変更して実施し得る全ての排水トラップ構造も、本発明の要旨を包含する限り、本発明の範囲に属する。
【００５１】
その他、本発明の思想の範疇において、当業者であれば、各種の変更例及び修正例に想到し得るものであり、それら変更例及び修正例についても本発明の範囲に属するものと了解される。
【図面の簡単な説明】
【００５２】
【図１】第１の実施形態に係る排水トラップ構造を例示する模式的断面図である。
【図２】第１の実施形態に係る排水トラップ構造を例示する模式的斜視図である。
【図３】第１の実施形態に係る排水トラップ構造を例示する模式的平面図である。
【図４】第２の実施形態に係る排水トラップ構造を例示する模式的断面図である。
【図５】第２の実施形態に係る排水トラップ構造を例示する模式的断面図である。
【図６】第２の実施形態に係る排水トラップ構造を例示する模式的斜視図である。
【図７】第２の実施形態に係る排水トラップ構造の要部の２つの例を示す模式的斜視図である。
【図８】第２の実施形態に係る排水トラップ構造の要部の別の例を示す模式的斜視図である。
【符号の説明】
【００５３】
１０ 洗い場、  １１ 防水床部、  ２０ 排水トラップ本体、  ２０ａ 内壁、  ２０ｔ 隙間、  ２１ 開口部、  ２２ 封水部、  ３０ 浴槽排水管路、  ３０ｘ 延在方向軸、  ３１ 浴槽排水貯留部、  ３１ａ 底面、  ３１ｂ 排水導入口、  ３１ｃ  上部、３１ｄ 下部、  ３２ 浴槽排水導入部、  ３２ａ 底面、  ３２ｐ 第１の部分、  ３２ｑ 第２の部分、  ３２ｒ 着脱部、  ３２ｓ 開口部、  ３２ｔ 重なり代、  ３３ 浴槽排水導出部、  ４０ 排水口、  ４０ｘ 開口軸、  ５０ 排水管、  ６０ 浴槽、  ６０ａ 内側底面、  ６１ 浴槽水、  ６１ｄ 浴槽排水、  ６２ 浴槽排水口、  １０１〜１０４ 排水トラップ構造
【図１】
2010007297.tif 000003
【図２】
2010007297.tif 000004
【図３】
2010007297.tif 000005
【図４】
2010007297.tif 000006
【図５】
2010007297.tif 000007
【図６】
2010007297.tif 000008
【図７】
2010007297.tif 000009
【図８】
2010007297.tif 000010